(57)【要約】【課題】車椅子を後退動することのみで便器を車椅子の本体フレーム５０の内側に配設し、洋式便器便座面に着座することで、健常者と同じ排泄時使用感を呈するようにした。【解決手段】台座５１は後側に出入口を開設した平視Ｕ字形に形成されている。台座５１の高さは使用する洋式便器の上面高さと同一か、或は僅かに低く設定されている。台座５１の右側面には、ガイド筒５２が取り付けられている。角柱形状の摺動体５５が、ガイド筒５２の内側にて上下方向に摺動可能に配設されている。摺動体５５の上端面と、シート部５３の右側板５４とは蝶番５８が取り付けられている。ダンパー６１の一端は台座５１の正面に於ける右端部に、他端は、長溝３９の左端部に摺動可能に取り付けられている。【選択図】図１０
2012105976.tif 000002
【特許請求の範囲】
【請求項１】
被介護者が着座状態で所望位置に移動可能な車椅子本体と、被介護者が着座するためのシート部と背凭れ部を具備した座席本体と、被介護者が掴まることで被介護者の立居を介助するためのサークルとが着脱可能に組み付けられてなる介護用車椅子であって、
前記車椅子本体は、後側は横杆を有しないで複数の杆からなる本体フレームの左右両側に車輪を夫々設け、前記本体フレームの上端部に台座を設け、
前記車椅子本体を便所内で後退動することで、被介護者が使用する洋式便器を車椅子本体の後方から前記台座の内側に配設可能に、前記台座には洋式便器が出入可能な出入口を後方に開設し、前記出入口と連続する平視Ｕ字形の切縁を具備する洋式便器配設部を内側に設け、
側方から視ると洋式便器に重合配設される便座が前記台座より上方へ露出するように、前記台座上面の高さ方向位置は、洋式便器上面の高さ方向位置と同一位置若しくは僅かばかり低位置に設定され、
前記座席本体は、前記台座を被覆可能な平面形状を有するシート部を有し、
前記台座の上面に前記シート部を隙間を介して載置し或は前記シート部を取り外して分離可能に、前記車椅子本体と前記座席本体には着脱自在な取付手段が夫々設けられ、
前記サークルは被介護者が掴まって立居可能な掴まり部を設け、該掴まり部は支持部により所定高さが安定的に保持され、
前記本体フレームと前記サークルには、該サークルを車椅子本体に着脱可能な取付手段を夫々具備したことを特徴とする介護用車椅子。
【請求項２】
被介護者が着座状態で所望位置に移動可能な車椅子本体と、被介護者が着座するためのシート部と背凭れ部を具備した座席本体と、被介護者が掴まることで被介護者の立居を介助するためのサークルとが着脱可能に組み付けられてなる介護用車椅子であって、
前記車椅子本体は、後側は横杆を有しないで複数の杆からなる本体フレームの左右両側に車輪を夫々設け、前記本体フレームの上端部に台座を設け、
前記車椅子本体を便所内で後退動することで、被介護者が使用する洋式便器を車椅子本体の後方から前記台座の内側に配設可能に、前記台座には洋式便器が出入可能な出入口を後方に開設し、該出入口と連続する平視Ｕ字形の切縁を具備する洋式便器配設部を内側に設け、
前記洋式便器に重合配設される便座の上面が前記洋式便器配設部より上方に露出し便座全体は露出しないように、前記台座上面の高さ方向位置は、便座上面の高さ方向位置より僅かばかり低位置に設定し、
前記座席本体は、前記台座を被覆可能な平面形状を有するシート部を有し、
前記台座に前記シート部が隙間を介して載置し或は取り外して分離可能に、前記車椅子本体と前記座席本体とを着脱可能な取付手段が設けられ、
前記サークルは被介護者が掴まって立居可能な掴まり部を設け、該掴まり部は支持部により所定高さが安定的に保持され、
前記本体フレームと前記サークルには、車椅子本体にサークルを着脱可能な取付手段を具備したことを特徴とする介護用車椅子。
【請求項３】
後方に洋式便器が出入可能な出入口を開設し平視Ｕ字形の台座が支持される複数の杆より成る本体フレームの左右両側に車輪が回転自在に取り付けられると共に、背凭れ部が設けられ、
前記台座上には隙間を介してシート部が配設され、且つ前記台座と前記シート部の対向する左右何れか一側部が枢着手段により接続され、
前記台座の上方をシート部が平行な位置関係をもって上昇し、上昇後に前記シート部が前記枢着部を中心として起伏動することで、前記台座をシート部で隠顕可能にするシート部昇降傾斜手段を前記台座と前記シート部に設け、
被介護者が掴まって立居可能な掴まり部が設けられたサークルを前記本体フレームに着脱自在に取り付けられたことを特徴とする介護用車椅子。
【請求項４】
前記シート部昇降傾斜手段は、台座の左右何れか一側部にガイド筒をガイド筒の軸心を上下方向に沿わせて取り付け、
前記ガイド筒の内側には枢着手段により連結された下側中空角柱状体と上側中空角柱状体とを摺動可能に配設し、前記下側中空角柱状体の下部には下方向付勢手段を設け、
シート部の側板と上側中空角柱状体上面を重合可能に枢着手段により取り付け、
前記上側中空角柱状体には上側中空角柱状体上面に設けた開口より突出する作動棒を上側中空角柱状体の軸心と平行に配設し、該作動棒の下端には先端に係止爪を具備した係止杆を枢着し、
前記作動棒に下方向への力を作用しない状態では、前記係止爪が下側中空角柱状体上側面の内側面に係止し、
前記シート部側面を上側中空角柱状体の上側面に重合し作動棒を押し下げると、前記係止爪が下側中空角柱状体上側面の内側面から解放するようにしたことを特徴とする請求項３に記載の介護用車椅子。
【請求項５】
前記シート部昇降傾斜手段は、台座の左右何れか一側部にガイド筒をガイド筒の軸心を上下方向に沿わせて取り付け、前記ガイド筒には上下方向にスライドする摺動体が摺動自在に挿通され、前記摺動体の下部には下方向へ付勢する付勢手段を設け、
前記摺動体の上端と台座の側板が枢着されてなることを特徴とする請求項３に記載の介護用車椅子。
【請求項６】
後方に洋式便器が出入可能な出入口を開設し平視Ｕ字形の台座が支持される複数の杆より成る本体フレームの左右両側に車輪が回転自在に取り付けられると共に、背凭れ部が設けられ、
前記台座上には隙間を介してシート部が配設され、
前記シート部が前記台座面を隠顕可能に、前記シート部の一側部が前記台座の一側部に枢着され、該枢着部を中心として前記シート部が起伏動するようにし、
被介護者が掴まって立居可能な掴まり部が設けられたサークルを前記本体フレームに着脱自在に取り付けられたことを特徴とする介護用車椅子。
【請求項７】
上記台座の正面に於ける上記枢着部側にはダンパーの一端を取り付け、該ダンパーの他端は上記シート部正面に於いて前記枢着部とは反対側位置に取り付けたことを特徴とする請求項３、４、５又は６に記載の介護用車椅子。
【請求項８】
上記サークルには、被介護者の立ち姿勢を保持するための腹部支持部を設けたことを特徴とする請求項１、２、３、４、５、６又は７に記載の介護用車椅子。
【発明の詳細な説明】
【技術分野】
【０００１】  本発明は、被介護者が着座状態の車椅子を便所内で方向転換する必要性がなく後退動することで台状フレームの内側に洋式便器を配設し、被介護者が一度立ち上がった後に着座すると洋式便器に直接着座し、健常者と同様な使用感を有して排泄行為をすることの可能な介護用車椅子に関する。
【背景技術】
【０００２】  介護用車椅子は背凭れ部の上部に介助ブレーキを設けた非特許文献１若しくは非特許文献２に記載の車椅子が一般的に使用されている。脳梗塞等の脳血管障害の後遺症で半身不随となり排泄に介助を必要とする被介護者が便所で排泄する場合に、非特許文献１若しくは非特許文献２に記載の車椅子を使用すると、被介護者は洋式便器正面と対面する形で車椅子から立ち上がった後に、背中側が洋式便器の正面側を向くように１８０度回転して向きを変換しなければ、洋式便器の便座上面に着座することはできない。半身不随者が立った状態で全身を１８０度方向転換することは極めて困難であり、着座までに排泄が間に合わないという欠点を有していた。
被介護者が車椅子に着座状態で洋式便器正面と対向状態で便所内に入った後、被介護者の背中側が洋式便器正面側に向くように、介護者が車椅子を便所内で１８０度方向転換し、被介護者は立ち上がった状態で後退し、介護者が被介護者の下着を膝まで降ろして便座座面に着座する方法が採られている。この方法であると現場介護者の介助労働が多大である。又、便所のスペースを介護者が車椅子を押して横方向に１８０度回転可能な広いものとする必要性があり、特に家庭内で介護している場合は便所をリフォームしなければならず敷地面及び費用面からして多大の経済的負担を同居家族に強いることになるという欠点を有していた。
上記欠点に鑑みて、車椅子のシート部に排泄口を開設した車椅子が提案されている（例えば、特許文献１〜特許文献３参照）。
特許文献１〜特許文献３に記載の車椅子は、洋式便器の上方に平視楕円形の排泄口を開設したシート部（座部）を設け、被介護者はシート部に着座した状態で排泄をする構成であるので、被介護者の臀部や大腿部背面側がシート部に密着状態となる。又、洋式便座の上方にシート部の裏面が配設されているので、排泄物の飛沫や跳ね返りがシート部の裏面やシート部の排泄口周縁に付着し、拭き取り清掃が使用の都度必要で、介護者の清掃手間を要し、且つ不衛生であるという問題点があった。
１対のベアリングスライドレールを座部左右両側に平行に設け、複数の座板を蝶番付けした座席を前方へ下降して車椅子の下方に位置せしめた洋式便器を露出させる構成の介護用車椅子が提案されている（例えば、特許文献４参照）。
特許文献４に記載の介護用車椅子であると、被介護者が直接的に洋式便器の便座上面に着座可能であるため、車椅子が排泄物の跳ね返り等で汚損されることが無く、衛生面の課題は解決される。しかしながら、被介護者が着座中は座面が前方にて垂下しているため、着座者は大腿部に対して下腿部が鈍角を以って膝を曲げた姿勢で着座しており、足の裏から床面に対して作用する力が弱く、極めて立ち上がりにくいという問題点があった。
【非特許文献１】介助ブレーキ付カワムラ‐介護用品販売  アトム介護ショップのインターネット上のホームページ
【非特許文献２】車椅子の選び方：セラピーショップのインターネット上のホームページ
【特許文献１】実用新案登録第３０９６６０４号の登録実用新案公報
【特許文献２】実用新案登録第３０７４９１５号の登録実用新案公報
【特許文献３】特開２００４−５７４８８号公報
【特許文献４】特開２００９−１７２１０８号公報
【発明の開示】
【発明が解決しようとする課題】
【０００３】  本願発明は、台状フレームに設けた台座を後方に出入口を開設した平視Ｕ字形にし、シート部で台座上面を被覆し或は露呈するように形成し、車椅子も被介護者も便所内で方向転換することなく非介護者を洋式便器に背中側が向くように立ち上がらせ、立ち位置で再び腰を下ろすことのみの単純動作で洋式便器の便座に直接着座し健常者と同じ使用感で排泄が可能な介護用車椅子を提供することを目的とする。
【課題を解決するための手段】
【０００４】  上記目的を達成するために本願発明のうち請求項１に記載の発明は、被介護者が着座状態で所望位置に移動可能な車椅子本体と、被介護者が着座するためのシート部と背凭れ部を具備した座席本体と、被介護者が掴まることで被介護者の立居を介助するためのサークルとが着脱可能に組み付けられてなる介護用車椅子であって、車椅子本体は、後側は横杆を有しないで複数の杆からなる本体フレームの左右両側に車輪を夫々設け、前記本体フレームの上端部に台座を設け、前記車椅子本体を便所内で後退動することで、被介護者が使用する洋式便器を車椅子本体の後方から前記台座の内側に配設可能に、前記台座には洋式便器が出入可能な出入口を後方に開設し、前記出入口と連続する平視Ｕ字形の切縁を具備する洋式便器配設部を内側に設け、側方から視ると洋式便器に重合配設される便座が前記台座より上方へ露出するように、前記台座上面の高さ方向位置は、洋式便器上面の高さ方向位置と同一位置若しくは僅かばかり低位置に設定され、座席本体は、前記台座を被覆可能な平面形状を有するシート部を有し、台座の上面にシート部を隙間を介して載置し或はシート部を取り外して分離可能に、車椅子本体と座席本体には着脱自在な取付手段が夫々設けられ、サークルは被介護者が掴まって立居可能な掴まり部を設け、該掴まり部は支持部により所定高さが安定的に保持され、本体フレームと前記サークルには、該サークルを車椅子本体に着脱可能な取付手段を夫々具備したことを特徴とする。
請求項２に記載の発明は、被介護者が着座状態で所望位置に移動可能な車椅子本体と、被介護者が着座するためのシート部と背凭れ部を具備した座席本体と、被介護者が掴まることで被介護者の立居を介助するためのサークルとが着脱可能に組み付けられてなる介護用車椅子であって、車椅子本体は、後側は横杆を有しないで複数の杆からなる本体フレームの左右両側に車輪を夫々設け、本体フレームの上端部に台座を設け、車椅子本体を便所内で後退動することで、被介護者が使用する洋式便器を車椅子本体の後方から台座の内側に配設可能に、台座には洋式便器が出入可能な出入口を後方に開設し、該出入口と連続する平視Ｕ字形の切縁を具備する洋式便器配設部を内側に設け、洋式便器に重合配設される便座の上面が前記洋式便器配設部より上方に露出し便座全体は露出しないように、前記台座上面の高さ方向位置は、便座上面の高さ方向位置より僅かばかり低位置に設定し、座席本体は、前記台座を被覆可能な平面形状を有するシート部を有し、台座に前記シート部が隙間を介して載置し或は取り外して分離可能に、前記車椅子本体と前記座席本体とを着脱可能な取付手段が設けられ、サークルは被介護者が掴まって立居可能な掴まり部を設け、該掴まり部は支持部により所定高さが安定的に保持され、本体フレームとサークルには、車椅子本体にサークルを着脱可能な取付手段を具備したことを特徴とする。
請求項３に記載の発明は、後方に洋式便器が出入可能な出入口を開設し平視Ｕ字形の台座が支持される複数の杆より成る本体フレームの左右両側に車輪が回転自在に取り付けられると共に、背凭れ部が設けられ、前記台座上には隙間を介してシート部が配設され、且つ前記台座と前記シート部の対向する左右何れか一側部が枢着手段により接続され、前記台座の上方をシート部が平行な位置関係をもって上昇し、上昇後に前記シート部が前記枢着部を中心として起伏動することで前記台座をシート部で隠顕可能にするシート部昇降傾斜手段を前記台座と前記シート部に設け、被介護者が掴まって立居可能な掴まり部が設けられたサークルを前記本体フレームに着脱自在に取り付けられたことを特徴とする。
請求項４に記載の発明は、請求項３に記載のシート部昇降傾斜手段が、台座の左右何れか一側部にガイド筒をガイド筒の軸心を上下方向に沿わせて取り付け、前記ガイド筒の内側には枢着手段により連結された下側中空角柱状体と上側中空角柱状体とを摺動可能に配設し、前記下側中空角柱状体の下部には下方向付勢手段を設け、シート部の側板と上側中空角柱状体上面を重合可能に枢着手段により取り付け、前記上側中空角柱状体には上側中空角柱状体上面に設けた開口より突出する作動棒を上側中空角柱状体の軸心と平行に配設し、該作動棒の下端には先端に係止爪を具備した係止杆を枢着し、該係止爪が下側中空角柱状体上側面の内側面に係止し、前記シート部側面を上側中空角柱状体の上側面に重合し作動棒を押し下げることで、前記係止爪が下側中空角柱状体上側面の内側面から解放するようにしたことを特徴とする。
請求項５に記載の発明は、請求項３に記載のシート部昇降傾斜手段が、台座の左右何れか一側部にガイド筒をガイド筒軸心を上下方向に沿わせて取り付け、ガイド筒には上下方向にスライドする摺動体が摺動自在に挿通され、摺動体の下部には下方向へ付勢する付勢手段を設け、前記摺動体の上端と台座の側板が枢着されてなることを特徴とする。
請求項６に記載の発明は、後方に洋式便器が出入可能な出入口を開設し平視Ｕ字形の台座が支持される複数の杆より成る本体フレームの左右両側に車輪が回転自在に取り付けられると共に、背凭れ部が設けられ、前記台座上には隙間を介してシート部が配設され、前記シート部が前記台座面を隠顕可能に、前記シート部の一側部が前記台座の一側部に枢着され、該枢着部を中心として前記シート部が起伏動するようにし、被介護者が掴まって立居可能な掴まり部が設けられたサークルを前記本体フレームに着脱自在に取り付けられたことを特徴とする。
請求項７に記載の発明は、請求項３、４、５又は６に記載の介護用車椅子が台座の正面に於ける上記枢着部側にダンパーの一端を取り付け、該ダンパーの他端は上記シート部正面に於いて前記枢着部とは反対側位置に取り付けたことを特徴とする。
請求項８に記載の発明は、請求項１、２、３、４、５、６又は７に記載の介護用車椅子のサークルには被介護者の立ち姿勢を保持するための腹部支持部を設けたことを特徴とする。
【発明の効果】
【０００５】  本願発明は、車椅子本体に設けた台座に後方に出入口を有する平視Ｕ字形状の洋式便器配設部を設けているので、被介護者が介護用車椅子に着座し洋式便器に対して背を向けた状態で車椅子を後退動すると台座の内側に便座付き洋式便器を配設することが出来るという効果がある。又、被介護者は立ち上がった後に同じ位置でそのまま着座すると、直接便座に着座でき、介助者が車椅子を便所内で水平方向に１８０度方向転換したり、或は被介護者が立ち上がり便所内で自力で水平方向に１８０度方向転換することなく、同じ位置に於ける立居動作のみで便座上面に正確に着座できるという効果がある。
台座の高さ方向位置が、使用する洋式便器上面と同一か或は低く設定されているので、被介護者は正確に洋式便器に重合した便座の上面に着座でき、健常者が洋式便器を用いて排泄しているのと変わらない使用感を感じ、快適に排泄できるという効果がある。
洋式便器の便座上面が洋式便器配設部から露出するように構成されているので、排泄物の跳ね返りが台座や車椅子の他の部位に飛散付着せず衛生的であるという効果がある。
車椅子と座席本体、座席本体とサークルを着脱可能に取り付けているため、介護者にとって取扱いが簡便で、肉体的負担が軽減されるという効果がある。
座席本体とサークルを着脱可能に構成しているので、被介護者が立居する際にサークルの位置移動がなく、常に座席とサークルとの位置関係が一定で被介護者が転倒する虞が無く、安心して使用できるという効果がある。
背凭れ部と車椅子本体を一体化した介護用車椅子のシート部左右何れか一側部を台座の一側部に枢着しているので、介助者は片手のみでシート部を起こし台座面を開いて平視Ｕ字形台座の内側に露出した洋式便器の便座に介護者を着座させることができ、介助労力が軽減されるという効果がある。
【発明を実施するための形態】
【０００６】  車椅子本体に後方に洋式便器の出入口を開設した洋式便器配設部を設けることで、被介護者が着座状態の車椅子を便所内にて後退動させ洋式便器配設部に洋式便器を配設することを実現した。台座上面の高さ方向位置を使用する洋式便器の便座上面より僅かばかり下方に設定することで、被介護者が洋式便器の便座に着座の際に大腿部背面側が台座に圧接することがなく、健常者が着座する場合と同じ使用感を有して排泄すること、及び台座を含む車椅子本体に排泄物の跳ね返りがなく衛生的に車椅子を使用することを実現した。シート部を台座の一側部に枢着することで、介助者がシート部を持ち上げて台座から分離することなく片手で枢着されていない側を持ち上げシート部を起こすことで容易に台座面を露出することを実現した。
【実施例１】
【０００７】  図１〜図６に示される本願発明介護用車椅子の実施例１について説明する。実施例１に示される介護用車椅子は、自走式車椅子である。
介護用車椅子１は、車椅子本体２と座席本体３及びサークル４とで構成されている。先ずは車椅子本体２について説明する。車椅子本体２は主として本体フレーム、車輪、及び台座よりなる。本体フレームは、左右方向に所定距離を有して下側左右縦杆５、５を平行に離隔し、下側左右縦杆５、５間の前側には補強杆６を下側左右縦杆５、５と９０度の角度を有して連結し、補強杆は左右縦杆５、５の前端部間に架け渡されており、左右縦杆５、５の後部には設けていない。車椅子を後退動して本体フレームの後方から洋式便器を複数の杆よりなる台状の本体フレームの内側に配設するために、後側には横杆があってはならないという理由による。下側左右縦杆５、５には前側支持杆７と後側支持杆８を、下側左右縦杆５、５に対して９０度の角度を有して立設している。前側支持杆７と後側支持杆８は上端が同一高さとなるように設定されている。台座９は前側支持杆７と後側支持杆８で囲まれる平視矩形状の範囲に配設されるように、前側支持杆７と後側支持杆８の上端に取り付けられている。台座９には、後方に洋式便器１０が出入りする出入口を開口した平視Ｕ字形の切縁よりなる洋式便器配設部１１が設けられている。台座９の隅部にはガイド孔１２が穿設されている。ガイド孔１２の上端開口周縁にはガイド片１３がガイド孔１２の開口縁を囲むように設けられている。【０００８】  前側支持杆７の下方には小径車輪（キャスター）１４が回転自在に設けられている。後側支持杆８には大径車輪（駆動輪）１５が回転自在に取り付けられている。被介護者１６が自走可能に、大径車輪（駆動輪）１５にはハンドリム１７が設けられている。又、被介護者１６がブレーキ操作可能に、台座９にはブレーキレバー１８が取り付けられている。台座９の左右両側には係合受け部１９を設けている。上面を開口した中空取付管２０は、中空取付管２０の軸心が下側左右縦杆５の軸心に対して９０度の角度を有する位置関係となるように前側支持杆７の側方に取り付けられている。２１は足置きである。【０００９】  座席本体３について説明する。シート部２２は耐荷重性を有する平板を材料とし、台座９の上面方を被覆可能な形状に形成され、シート部２２の左右側縁にはシート部２２と９０度の角度をもって側板２３が垂設されている。側板２３の高さ方向長さは、洋式便器１０に装着する便座２５の高さ方向長さより長いことを必要とする。洋式便器配設部１１に洋式便器１０を配設した場合、側面から視ると洋式便器配設部１１より便座２５が台座９の上面より上方に露出する必要性があるという理由による。シート部２２の下面に於ける４隅部に、シート部２２の下面と９０度の角度を以ってガイド孔１２に嵌入可能な嵌入棒２６が夫々設けられている。シート部２２の後部には、介護者が座席本体３を持ち上げるための把手２７を設けている。側板２３には、係合受け部１９と係合可能な係止爪２８が設けられている。側板２３の後端部には、上方に延び互いに平行な位置関係の背凭れ取付杆２９、２９を対設している。左右対となる背凭れ取付杆２９、２９のうち背凭れ部３０の上端縁より上方部は後方に屈曲させて、介護者が握るための把持部３１を形成している。３２は肘掛である。シート部２２の上面には��介護者の好みによりクッションマットを載置してもよい。【００１０】  サークル４について説明する。図４に示すように、サークル４は前側支柱３３と後側支柱３４との間に横杆を架け渡すことで掴まり部３５を形成している。後側支柱３４は、後側支柱３４の下部を中空取付管２０内に配設すると、掴まり部３５が床面３６と平行な位置関係となるように、前側支柱３３よりも短く形成されている。後側支柱３４の高さ方向中途位置には、前方に円弧状に彎曲する腹部支持部３７が架け渡されている。又、後側支柱３４、３４間には背部支持ベルト３８が架け渡し可能に設けられ、被介護者１６の立ち姿勢を背後から支持するようにしている。【００１１】  使用方法及び作用を説明する。嵌入棒２６をガイド孔１２に嵌入し、係止爪２８を係合受け部１９に係合することで、座席本体３を車椅子本体２に一体的に取り付ける。座席本体３のシート部２２に被介護者１６を着座させる。介護者は、着座状態の被介護者１６の背中が洋式便器１０の正面側を向くように、座席本体３が取り付けられた車椅子本体２を便所内に移動させる。更に、座席本体３が取り付けられた車椅子本体２を後退動させ、便座２５を上面に重合した洋式便器１０を便座２５が洋式便器配設部１１に配設されるように設置する。図５に示すように、介護者はサークル４の後側支柱３４の下部を中空取付管２０の中空部に挿入配設し、サークル４を車椅子本体２に一体的に取り付ける。被介護者１６は、サークル４の掴まり部３５を握って立ち上がる。被介護者１６が立ち上がると、被介護者１６の腹部を腹部支持部３７に当接させ、左右後側支柱３４、３４間に背部支持ベルト３８を架け渡す。被介護者１６は腹部支持部３７と背部支持ベルト３８で支持され、転倒することなく安定的な立ち姿勢を保持可能である。被介護者１６の立ち姿勢保持状態下において、被介護者１６は掴まり部３０を手で握るだけではなく、脇に挟み込むことで体重を前方に負荷することが可能で被介護者１６は転倒することなく短時間の安定的な立ち姿勢が保持することができる。【００１２】  介護者は被介護者１６の立ち姿勢が安定したことを確認後、係止爪２８を係合受け部１９から解放する。図６に示すように、介護者は把手２７に手を差し入れて車椅子本体２から座席本体３を上方に持ち上げ、車椅子本体２から座席本体３を取り外す。座席本体３が車椅子本体２から分離され取り外されると、洋式便器配設部１１に洋式便器１０の便座２５が露出する。介護者は被介護者１６のズボンやパンツ等の下半身着用衣類を膝まで降ろし、腹部支持部３７及び背部支持ベル３８を取り外す。被介護者１６は便座２５に腰をかける。被介護者１６は便座２５に着座状態でそのまま排泄する。洋式便器１０の上面高さ方向位置は、台座９上面の高さ方向位置と同一若しくは僅かばかり高く設定され、洋式便器１０の上面に便座２５を重合配設しているので、被介護者１６の臀部や大腿部上部背面側は便座２５に当接し、被介護者１６の下半身の何処も車椅子本体２に当接せず、健常者が洋式便器を着座して使用しているのと同じ使用感覚を有して排泄が可能で、しかも排泄物は正確に洋式便器１０内に落下する。落下した排泄物の跳ね返りが車椅子本体２に飛散せず衛生的で��る。【００１３】  排泄終了後、被介護者１６は掴まり部３５を握って立ち上がり、立ち姿勢の状態で腹部を腹部支持部３７に押し当てる。介護者は背部支持ベルト３８を後側支柱３４、３４間に架け渡して被介護者１６の転倒を防止し、被介護者１６の短時間の立ち姿勢を保持する。被介護者１６が立ち姿勢を保持中に、介護者はズボンやパンツ等の下半身着用衣類を引き上げ被介護者１６の下半身に着衣させる。【００１４】  次に、介護者は把手２７に手を差し入れて座席本体３を持ち上げ、嵌入棒２６をガイド孔１２に嵌入し、係止爪２８と係合受け部１９を係合し車椅子本体２に座席本体３を一体的に組み付ける。被介護者１６はシート部２２上に着座する。【００１５】  最後に、後側支柱３４を中空取付管２０から抜き取り、サークル４を車椅子本体２から取り外す。介護者は、着座状態の被介護者１６の正面にて座席本体３と一体化した車椅子本体２を手前に引き出し、便所から被介護者１６を出した後、被介護者１６の背中側に立ち、把持部３１を握って車椅子本体１を押し所望位置に移動させる。４６は洋式便器用蓋、４７は水洗用の水タンクである。
【実施例２】
【００１６】  図７に示される実施例２を説明する。実施例２に示される介護用車椅子は介助式車椅子である。実施例１で示される介護用車椅子と異なる点は、車椅子本体４０を構成するフレームの後側支持杆を上方に延設し、上部を後方へ曲げて把持部４１を設け、把持部には介助ブレーキ４２を設けている。車椅子本体４０の後側支持杆に取り付けた車輪４３には、ハンドリムを設けていない。座席本体４４は、左右側板２３を設けたシート部２２の後部左右に背凭れ取付用棒４５、４５を立設し、背凭れ取付用棒４５、４５間に背凭れ部３０を取り付けている。
【実施例３】
【００１７】  図８に示される実施例３について説明する。実施例１の介護用車椅子と異なる点は、台座４８の高さ方向位置が洋式便器１０の上面に重合配設された便座２５の上面高さ方向位置より僅かばかり低く設定されている点である。シート部４９の左右端縁から垂設された左右側板２４の高さ方向長さは、実施例１及び実施例２の側板２３よりも短く設定されている。
【実施例４】
【００１８】  図９〜図１２に示される実施例について説明する。複数の杆を連設して台状の本体フレーム５０が形成されている。車椅子の後方から本体フレーム５０の内側へ洋式便器の出し入れを可能にするために、本体フレーム５０には後側に横杆が設けられていない。本体フレーム５０の上端部には、台座５１が一体的に取り付けられている。台座５１には内側に後方に洋式便器を出し入れするための開口を設け、該開口と連続するＵ字形の切縁よりなる洋式便器配設部を内側に設けている。台座５１の右側面には、ガイド筒５２が取り付けられている。ガイド筒５２は上下両端面を開放した中空角柱状に形成されてなり、台座５１の上下方向（高さ方向）に軸心が沿うように取り付けられている。つまり、ガイド筒５２は、ガイド筒５２の軸心線と台座５１の上面が９０度の角度をなす位置関係になるように台座５１の右側面に取り付けられている。シート部５３の周縁にはシート部５３の上面と９０度の角度を有する側板５４、５４、５４、５４が設けられている。ガイド筒５２の内周面と対応する角柱形状の摺動体５５が、ガイド筒５２の内側にて上下方向に摺動可能に配設されている。摺動体５５は上端面が水平な平坦面に形成され、下端には平坦な上端面を具備するバネ取り付け片５６連設されている。バネ５７は鶴巻バネよりなり、下端はバネ取り付け片５６に取り付けられ、上端は台座５１の右側面に取り付けられている。摺動体５５の上端面と、シート部５３の右側板５４とは蝶番５８が取り付けられている。シート部５３の左側板５４には、台座５１の左側面に設けた係合留め具５９と係脱する係合留め具６０を取り付けている。台座５１の正面に於ける右端部には、ダンパー６１の一端が取り付けられている。台座５１の正面には横方向に延びる長溝３９が穿設されている。ダンパー６１の他端は、長溝３９の左端部に摺動可能に取り付けられている。ダンパー６１はエアダンパーであると、油圧ダンパーであるとを問わない。台座５１の正面の前方（正面方）にはダンパー６１を隠蔽するためのカバー体６２が正面側板５４と平行な位置関係となるように設けられている。シート部５３の正面側板５４の前方（正面方）にはダンパー６１を隠蔽するためのカバー体６３が正面側板５４と平行な位置関係となると共に、シート部５３を台座５１に被覆するとカバー体６２とカバー体６３が同一面上に配設されるようにしている。安全上の見地より、カバー体６３とカバー体６２にも、夫々係合可能な係合留め具を夫々設けるとよい。【００１９】  次に作用及び使用方法について説明する。被介護者がシート部５３に着座し洋式便器正面を被介護者の背中側にした状態で、介護者は便所内にて介護用車椅子を後退動をさせ、台座５１の後方開口部より洋式便器を差し入れ、洋式便器を本体フレーム５０の内側及び台座５１の内側に設けたＵ字形洋式便器配設部に配設する。被介護者を立ち上がらせた状態で、介助者は係合留め具６０を係合留め具５９から外し、台座５１からシート部５３を解放する。シート部５３が台座５１を被覆しているときは、図１１に示すように摺動体５５はガイド筒５２内をスライドしながら下降し、バネ５７は伸長状態になる。
介助者がシート部５３を上方に持ち上げると、摺動体５５はガイド筒５２内をスライドして上昇し、バネ５７は復元状態になる。シート部５３を上方に持ち上げた状態を保持下で、蝶番５８を中心としてシート部５３を右方向に回転動し、シート部５３の開き操作により、ダンパー６１はダンパー６１は伸長する。図１０及び図１１に示すように、ダンパー６１を伸長させるとシート部５３が立ち上がる。シート部５１の上面の延長線と台座５１の上面延長線は略９０度の角度を有して開き、台座５１の上面が露出する。被介護者は台座５１の内側に配設された洋式便器の便座に着座し排泄する。
排泄が終了すると、被介護者は本体フレーム５０に取り付けたサークル（図示省略）に掴まって立ち上がる。被介護者が立ち上がると、介護者はシート部５３を閉じる。ダンパー６１は縮小してシート部５３は台座５１上に隙間を介して被覆される。
図９〜図１２に示される介護用車椅子は介助者が片手で操作できるという利便性を有する。実施例４は、シート部５３を引き上げ後に回動させて開く構成であるが、これは車輪が大径である場合に車輪に右側側板５４が衝突することを防止するためである。
【実施例５】
【００２０】  図１３に示される実施例５について説明する。図９〜図１２に示される実施例と異なる点は、シート部５３上面と台座５１上面の延長線が互いに鈍角を以って開くようにしたことである。つまり、摺動体５５の軸心線に対して外傾してシート部５３が開くようにしたことである。７０は、２本の枢軸と３枚の取付片よりなるＷ蝶番である。シート部５３の右側板５４にはＷ蝶番７０の外側に配設される取付片を取り付け、摺動体５５の上端面には対向するもう一枚の外側取付片を取り付けている。Ｗ蝶番７０を構成する３枚の取付片のうち中央に位置する取付片は、摺動体５５の上端面に取り付けられた外側取付片に重合するように載置されている。
介護者がシート部５３を台座５１に対して平行な位置関係をもって上昇させる。シート部５３が上昇する際に、摺動棒５５はガイド筒５２内をスライドして上昇する。介護者がシート部５３を開くとシート部５３は摺動体５５の軸心線に対して外傾し、太った人の身体にシート部５３が接触せず、シート部５３に殆ど接触することなく着座できる。シート部５３を開くと、Ｗ蝶番７０のうち摺動体５５の上端面外側に位置する枢軸を中心としてシート部５３は外側方へ回動し、台座５１の上面に被介護者が着座可能に露出する。
【実施例６】
【００２１】  図１４〜図１７に示される実施例６について説明する。図９〜図１２に示される実施例４及び図１３に示される実施例５と異なる点は、シート部の昇降傾斜機構である。実施例６の説明をするにあたり、説明を簡単にするために図９〜図１２と同様の作用をなす部分は同一符号で説明する。
ガイド筒５２は上下両端面を開放した中空角柱状に形成され、周面のうち一側面が台座５１の右側面に一体的に取り付けられている。下側中空角柱状体７１と上側中空角柱状体７２は夫々の軸心線が同一線上に位置し、且つ蝶番の枢軸７３が外側に配置される枢着手段により上下方向に接続されている。つまり、枢軸７３の２枚の取付板のうち一方の取付板は下側中空角柱状体７１の上側面に、他方の取付板は上側中空角柱状体７２の下側面に固定的に取り付けられ、上側中空角柱状体７２が枢軸を中心として下側中空角柱状体７１が外側方に回動するようにしている。下側中空角柱状体７１の上端外側と上側中空角柱状体７２の下端外側には窪み部を形成し、該窪み部に蝶番の枢軸７３が配設されている。蝶番の２枚の取付板を重合して閉じると、下側中空角柱状体７１は上側中空角柱状体７２の４側面が夫々一面状に位置し、外視が１本の角柱状になるように連結されている。下側中空角柱状体７１の上側面には開口７４を、上側中空角柱状体７２の下側面には開口７５を夫々対向する位置に開設している。上側中空角柱状体７２の内側には、仕切り板７６を上下側面と平行な位置関係に設けている。上側中空角柱状対７２の上側面と仕切り板７６には対向する位置に作動棒挿通孔が夫々開設され、これら作動棒挿通孔には作動棒７７が遊挿されている。作動棒７７の上端部は、上側中空角柱状体７２の上側面より上方に露出している。上側中空角柱状体７２の上側面と仕切り板７６とで形成される室に於いて、作動棒７７に座金７８が固着されている。座金７８と仕切り板７６との間に於いては、作動棒７７の周面にバネ７９が巻着されている。下端を係止爪に形成し屈曲部を具備したクランク状係止杆８０の上端には作動棒７７の下端を枢着し、該枢着部と係止杆８０の屈曲部との中途位置にはピン８１を上側中空角柱状体７２の正背側面に軸架している。上側中空角柱状体７２の上側面とシート部の側板５４は蝶番８２で連結されている。下側中空角柱状体７１の下端には、平坦な上端面を具備するバネ取り付け片５６連設されている。バネ５７は鶴巻バネよりなり、下端はバネ取り付け片５６に取り付けられ、上端は台座５１の右側面に取り付けられている。【００２２】  次に作用について説明する。被介護者がシート部５３に着座状態では、下側中空角柱状体７１と上側中空角柱状体７２の軸心が同一直線上に位置してガイド筒５２内に配設されている。係止杆８０の先端に設けた係止爪は、下側中空角柱状体７１の上側面の内側面に係合し、バネ５７は伸長し、蝶番８２は９０度の角度を有して開いている。被介護者を立ち上がらせた状態で、介護者はシート部５３の係合留め具（図示せず）を台座５１の係合留め具（図示せず）から外し、シート部５３を台座５１の上面に対して平行な位置関係を保持しながら上昇させる。図１５に示すように、バネ５７の復元力により下側中空角柱状体７１と上側中空角柱状体７２はガイド筒５２内をスライドして上昇する。シート部５３を起き上がらせ、図１６に示すように、シート部５３を外方に回転動させ、蝶番８２を閉じる。側板５４は作動棒７７の上端に圧接して作動棒７７を押し下げ、バネ７９は収縮する。ピン８１を枢軸として係止杆８０は回動し、係止杆８０���下側中空角柱状体７１の上側面の内側面から解放される。図１７に示すように、枢軸７３を中心として上側中空角柱状体７２を外方に回転動させる。台座５１の上面が露呈し、被介護者が被介護者は台座５１の内側に配設されている洋式便器の便座面（図示省略）に着座する。被介護者は排泄終了後、サークル（図示省略）に掴まり立ち上がる。介護者は、被介護者が立った状態のときにシート部５３を回転動し、シート部５３を台座５１に重合して閉じる。作動棒７７はシート部５３の圧接作用から解放され、バネ７９の復元力で上昇する。係止杆８０は、ピン８１を枢軸として開口７５から開口７４の方向へ回転動する。係止杆８０の先端に設けた係止爪は、下側中空角柱状体７１の上側面内側面に係止し、下側中空角柱状体７１と上側中空角柱状体７２の軸心が同一直線上に位置してガイド筒５２内に配設される。
図１４〜図１７に示される実施例６は、被介護者が肥満体形の人であっても、上側中空角柱状体７２が外傾することで、着座しやすいという効果がある。
【実施例７】
【００２３】  図１８及び図１９に示される実施例７について説明する。実施例７は車輪が小径の介護用車椅子に関するものである。台状で後側に横杆を有さない本体フレーム６４の上端に台座６５を一体的に取り付けている。本体フレーム６４を構成する上側縦杆６６は少なくとも外側面が平坦面に形成されているものを使用する。台座６５の正面に於ける右端部には、ダンパー６７の一端が取り付けられている。ダンパー６７の他端は、シート部６８の正面側板６９の左端部に取り付けられている。上側縦杆６６にはシート部６８が蝶番５８で開閉動するように取り付けられている。８３はシート部６８と台座６５を係脱可能な留め具である。【００２４】  実施例１〜７は台座を支持する前後支持の高さが一定のものについて説明したが、本願発明はこれに限定せず、本体フレームを構成する高さ方向に沿って配設される支持杆を伸縮可能にすることで台座の高さ方向位置を調整可能にしたものも包含される。
【図面の簡単な説明】
【００２５】
【図１】介護用車椅子を説明する斜視図である。（実施例１）
【図２】車椅子本体から座席本体を取り外した状態を説明する斜視図である。（実施例１）
【図３】台座からシート部を取り外す状態を示す側視説明図である。（実施例１）
【図４】サークルの拡大斜視図である。（実施例１）
【図５】被介護者が掴まり部に掴まり立ち上がろうとする使用状態を示す説明図である。（実施例１）
【図６】被介護者が立ち姿勢で車椅子本体から座席本体を取り外す状態を示す説明図である。（実施例１）
【図７】サークルを取り付けていない車椅子本体から座席本体を取り外す状態を示す側面説明図である。（実施例２）
【図８】台座と便座との位置関係を示す側視説明図である。（実施例３）
【図９】介護用車椅子の斜視図である。（実施例４）
【図１０】シート部を起立させてダンパーを伸長させた状態を示す介護用車椅子の斜視図である。（実施例４）
【図１１】シート部の昇降機構をなす摺動棒、ガイド筒、バネ、台座及びシート部の関係を示す説明図である。（実施例４）
【図１２】台座からシート部を上昇後、シート部を開閉動する状態を示す正面説明図である。（実施例４）
【図１３】台座からシート部を上昇後、シート部を開閉動する状態を示す正面説明図である。（実施例５）
【図１４】下側中空角柱状体と上側中空角柱状体の内部構造を示す一部切欠正面説明図である。（実施例６）
【図１５】シート部が上昇したときの下側中空角柱状体、上側中空角柱状体、ガイド筒及びバネの関係を示す右側面説明図である。（実施例６）
【図１６】シート部が作動棒を押し下げたときの作動棒、係止杆、バネ及び座金の状態を示す下側中空角柱状体と上側中空角柱状体の内部説明図である。（実施例６）
【図１７】上側中空角柱状体を傾斜させた状態を示す一部切欠説明図である。（実施例６）
【図１８】台座とシート部の枢着部を示す右側面説明図である。（実施例７）
【図１９】台座からシート部を開閉動する状態を示す正面説明図である。（実施例７）
【符号の説明】
【００２６】１  介護用車椅子
２、４０  車椅子本体
３、４４  座席本体
４  サークル
９、４８、５１、６５  台座
１０  洋式便器
１１  洋式便器配設部
１４、１５、４３  車輪
１６  被介護者
２２、４９、５３、６８  シート部
２５  便座
３０  背凭れ部
３５  掴まり部
３７  腹部支持部
５０、６４  本体フレーム
５２  ガイド筒
５４  側板
５５  摺動体
６１、６７  ダンパー
７１  下側中空角柱状体
７２  上側中空角柱状体
７７  作動棒
８０  係止杆
【図１】
2012105976.tif 000003
【図２】
2012105976.tif 000004
【図３】
2012105976.tif 000005
【図４】
2012105976.tif 000006
【図５】
2012105976.tif 000007
【図６】
2012105976.tif 000008
【図７】
2012105976.tif 000009
【図８】
2012105976.tif 000010
【図９】
2012105976.tif 000011
【図１０】
2012105976.tif 000012
【図１１】
2012105976.tif 000013
【図１２】
2012105976.tif 000014
【図１３】
2012105976.tif 000015
【図１４】
2012105976.tif 000016
【図１５】
2012105976.tif 000017
【図１６】
2012105976.tif 000018
【図１７】
2012105976.tif 000019
【図１８】
2012105976.tif 000020
【図１９】
2012105976.tif 000021
【手続補正書】
【提出日】平成24年3月5日(2012.3.5)
【手続補正１】
【補正対象書類名】特許請求の範囲
【補正対象項目名】全文
【補正方法】変更
【補正の内容】
【特許請求の範囲】
【請求項１】
後方に洋式便器が出入可能な出入口を開設し平視Ｕ字形の台座が支持される複数の杆より成る本体フレームの左右両側に車輪が回転自在に取り付けられると共に、背凭れ部が設けられ、
前記台座上には隙間を介してシート部が配設され、且つ前記台座と前記シート部の対向する左右何れか一側部が枢着手段により接続され、
前記台座の上方をシート部が平行な位置関係をもって上昇し、上昇後に前記シート部が前記枢着部を中心として起伏動することで、前記台座をシート部で隠顕可能にするシート部昇降傾斜手段を前記台座と前記シート部に設け、
被介護者が掴まって立居可能な掴まり部が設けられたサークルを前記本体フレームに着脱自在に取り付けられたことを特徴とする介護用車椅子。
【請求項２】
前記シート部昇降傾斜手段は、台座の左右何れか一側部にガイド筒をガイド筒の軸心を上下方向に沿わせて取り付け、
前記ガイド筒の内側には枢着手段により連結された下側中空角柱状体と上側中空角柱状体とを摺動可能に配設し、前記下側中空角柱状体の下部には下方向付勢手段を設け、
シート部の側板と上側中空角柱状体上面を重合可能に枢着手段により取り付け、
前記上側中空角柱状体には上側中空角柱状体上面に設けた開口より突出する作動棒を上側中空角柱状体の軸心と平行に配設し、該作動棒の下端には先端に係止爪を具備した係止杆を枢着し、
前記作動棒に下方向への力を作用しない状態では、前記係止爪が下側中空角柱状体上側面の内側面に係止し、
前記シート部側面を上側中空角柱状体の上側面に重合し作動棒を押し下げると、前記係止爪が下側中空角柱状体上側面の内側面から解放するようにしたことを特徴とする請求項１に記載の介護用車椅子。
【請求項３】
前記シート部昇降傾斜手段は、台座の左右何れか一側部にガイド筒をガイド筒の軸心を上下方向に沿わせて取り付け、前記ガイド筒には上下方向にスライドする摺動体が摺動自在に挿通され、前記摺動体の下部には下方向へ付勢する付勢手段を設け、
前記摺動体の上端と台座の側板が枢着されてなることを特徴とする請求項１に記載の介護用車椅子。
【請求項４】
後方に洋式便器が出入可能な出入口を開設し平視Ｕ字形の台座が支持される複数の杆より成る本体フレームの左右両側に車輪が回転自在に取り付けられると共に、背凭れ部が設けられ、
前記台座上には隙間を介してシート部が配設され、
前記シート部が前記台座面を隠顕可能に、前記シート部の一側部が前記台座の一側部に枢着され、該枢着部を中心として前記シート部が起伏動するようにし、
被介護者が掴まって立居可能な掴まり部が設けられたサークルを前記本体フレームに着脱自在に取り付けられたことを特徴とする介護用車椅子。
【請求項５】
上記台座の正面に於ける上記枢着部側にはダンパーの一端を取り付け、該ダンパーの他端は上記シート部正面に於いて前記枢着部とは反対側位置に取り付けたことを特徴とする請求項１、２、３又は４に記載の介護用車椅子。
【請求項６】
上記サークルには、被介護者の立ち姿勢を保持するための腹部支持部を設けたことを特徴とする請求項１、２、３、４又は５に記載の介護用車椅子。
【手続補正２】
【補正対象書類名】明細書
【補正対象項目名】０００４
【補正方法】変更
【補正の内容】
【０００４】
上記目的を達成するために本願発明のうち請求項１に記載の発明は、後方に洋式便器が出入可能な出入口を開設し平視Ｕ字形の台座が支持される複数の杆より成る本体フレームの左右両側に車輪が回転自在に取り付けられると共に、背凭れ部が設けられ、前記台座上には隙間を介してシート部が配設され、且つ前記台座と前記シート部の対向する左右何れか一側部が枢着手段により接続され、前記台座の上方をシート部が平行な位置関係をもって上昇し、上昇後に前記シート部が前記枢着部を中心として起伏動することで前記台座をシート部で隠顕可能にするシート部昇降傾斜手段を前記台座と前記シート部に設け、被介護者が掴まって立居可能な掴まり部が設けられたサークルを前記本体フレームに着脱自在に取り付けられたことを特徴とする。
請求項２に記載の発明は、請求項１に記載のシート部昇降傾斜手段が、台座の左右何れか一側部にガイド筒をガイド筒の軸心を上下方向に沿わせて取り付け、前記ガイド筒の内側には枢着手段により連結された下側中空角柱状体と上側中空角柱状体とを摺動可能に配設し、前記下側中空角柱状体の下部には下方向付勢手段を設け、シート部の側板と上側中空角柱状体上面を重合可能に枢着手段により取り付け、前記上側中空角柱状体には上側中空角柱状体上面に設けた開口より突出する作動棒を上側中空角柱状体の軸心と平行に配設し、該作動棒の下端には先端に係止爪を具備した係止杆を枢着し、該係止爪が下側中空角柱状体上側面の内側面に係止し、前記シート部側面を上側中空角柱状体の上側面に重合し作動棒を押し下げることで、前記係止爪が下側中空角柱状体上側面の内側面から解放するようにしたことを特徴とする。
請求項３に記載の発明は、請求項１に記載のシート部昇降傾斜手段が、台座の左右何れか一側部にガイド筒をガイド筒軸心を上下方向に沿わせて取り付け、ガイド筒には上下方向にスライドする摺動体が摺動自在に挿通され、摺動体の下部には下方向へ付勢する付勢手段を設け、前記摺動体の上端と台座の側板が枢着されてなることを特徴とする。
請求項４に記載の発明は、後方に洋式便器が出入可能な出入口を開設し平視Ｕ字形の台座が支持される複数の杆より成る本体フレームの左右両側に車輪が回転自在に取り付けられると共に、背凭れ部が設けられ、前記台座上には隙間を介してシート部が配設され、前記シート部が前記台座面を隠顕可能に、前記シート部の一側部が前記台座の一側部に枢着され、該枢着部を中心として前記シート部が起伏動するようにし、被介護者が掴まって立居可能な掴まり部が設けられたサークルを前記本体フレームに着脱自在に取り付けられたことを特徴とする。
請求項５に記載の発明は、請求項１、２、３又は４に記載の介護用車椅子が台座の正面に於ける上記枢着部側にダンパーの一端を取り付け、該ダンパーの他端は上記シート部正面に於いて前記枢着部とは反対側位置に取り付けたことを特徴とする。
請求項６に記載の発明は、請求項１、２、３、４又は５に記載の介護用車椅子のサークルには被介護者の立ち姿勢を保持するための腹部支持部を設けたことを特徴とする。
【発明の効果】
【手続補正３】
【補正対象書類名】明細書
【補正対象項目名】０００５
【補正方法】変更
【補正の内容】
【０００５】
本願発明は、車椅子本体に設けた台座に後方に出入口を有する平視Ｕ字形状の洋式便器配設部を設けているので、被介護者が介護用車椅子に着座し洋式便器に対して背を向けた状態で車椅子を後退動すると台座の内側に便座付き洋式便器を配設することが出来るという効果がある。又、被介護者は立ち上がった後に同じ位置でそのまま着座すると、直接便座に着座でき、介助者が車椅子を便所内で水平方向に１８０度方向転換したり、或は被介護者が立ち上がり便所内で自力で水平方向に１８０度方向転換することなく、同じ位置に於ける立居動作のみで便座上面に正確に着座できるという効果がある。
背凭れ部と車椅子本体を一体化した介護用車椅子のシート部左右何れか一側部を台座の一側部に枢着しているので、介助者は片手のみでシート部を起こし台座面を開いて平視Ｕ字形台座の内側に露出した洋式便器の便座に介護者を着座させることができ、介助労力が軽減されるという効果がある。
【発明の実施の形態】
【手続補正４】
【補正対象書類名】明細書
【補正対象項目名】０００６
【補正方法】変更
【補正の内容】
【０００６】  車椅子本体に後方に洋式便器の出入口を開設した洋式便器配設部を設けることで、被介護者が着座状態の車椅子を便所内にて後退動させ洋式便器配設部に洋式便器を配設することを実現した。シート部を台座の一側部に枢着することで、介助者がシート部を持ち上げて台座から分離することなく片手で枢着されていない側を持ち上げシート部を起こすことで容易に台座面を露出することを実現した。